(57)【特許請求の範囲】
【請求項１】
天井スラブまたは梁を含む建物の構造体から吊持された野縁及び野縁受を備える天井下地構造を前記野縁と前記野縁受の交差部で補強する耐震補強金具であって、  
前記野縁受に取り付けられる第１の金具と、前記野縁に取り付けられる第２の金具と、により構成され、
第１の金具は、前記野縁受に跨るように配置して前記野縁に嵌合させ、地震による前記天井下地構造に生じる衝撃力に対して前記野縁受の軸方向に変位可能に取り付け、
前記第２の金具は、前記野縁の野縁リップ部を挟み、かつ前記第１の金具に跨るように配置して前記野縁の野縁リップ部に地震による前記天井下地構造に生じる衝撃力に対して
前記野縁の軸方向に変位可能に取り付け、
前記天井下地構造に生じる衝撃力を吸収可能に構成したことを特徴とする耐震補強金具。
【請求項２】
前記第１の金具は、前記野縁受の水平幅に嵌合するように板材の中央部を略コの字型に折曲げ、前記野縁受を挟み込んで、前記板材の下端部に形成した切欠きを前記野縁に嵌合して保持し、野縁受固定用ボルトを前記板材に螺着してボルト先端を前記野縁受に当接して締め付け、
前記第２の金具は、前記第１の金具に跨るように形成した略コの字型であり、両側部に折曲げリブを有する止め板材と、前記第１の金具に跨るように形成した略コの字型であり、端部がレ型に折曲げられた取付板材と、それらを貫通する複数の野縁リップ部取付ボルトと、を有し、
前記止め板材と前記取付板材とを、前記野縁の片側の野縁リップ部を挟み、かつ前記第１の金具の前記板材に跨るように配置し、
前記板材を跨ぐ両側において、前記野縁の片側の野縁リップ部に前記取付板材のレ型端部を引っ掛け、前記止め板材と前記取付板材とを前記複数の野縁リップ部取付ボルトにより締め付けることを特徴とする請求項１に記載の耐震補強金具。
【請求項３】
前記第１の金具は、前記板材の下端部には野縁幅の切欠きが、野縁底部まで嵌合するように形成され、
前記切欠きを、前記野縁に嵌合して保持することを特徴とする請求項２に記載の耐震補強金具。
【請求項４】
前記第１の金具は、前記板材の上部中央部を切り起こして一体で立ち上げた立ち起し部を有し、
前記立ち起し部により前記第２の金具と固定したことを特徴とする請求項２又は請求項３に記載の耐震補強金具。
【請求項５】
前記取付板材に雌ねじを形成し、座金を介して前記野縁リップ部取付ボルトにより前記取付板材に螺着することを特徴とする請求項２乃至請求項４のいずれか１項に記載の耐震補強金具。
【請求項６】
前記第１の金具または前記第２の金具の少なくとも一方に、少なくとも上端片側に側部を切り落とした切り欠き部が形成されていることを特徴とする請求項２乃至請求項５のいずれか１項に記載の耐震補強金具。
【請求項７】
前記第１の金具または前記第２の金具の少なくとも一方に、斜めブレースを２方向Ｖ型
の少なくとも片側に取り付けるためのブレース取付用ボルト孔が開口されていることを特徴とする請求項２乃至請求項６のいずれか１項に記載の耐震補強金具。
【請求項８】
天井スラブまたは梁を含む建物の構造体から吊持された野縁及び野縁受を備える天井下地構造を前記野縁と前記野縁受の交差部で補強する耐震補強金具の取付方法であって、
第１の金具を前記野縁受に跨るように配置して前記野縁に嵌合させ、地震による前記天井下地構造に生じる衝撃力に対して前記野縁受の軸方向に変位可能に取り付け、
前記第２の金具を、前記野縁の野縁リップ部を挟み、かつ前記第１の金具に跨るように配置して前記野縁の野縁リップ部に地震による前記天井下地構造に生じる衝撃力に対して
前記野縁の軸方向に変位可能に取り付け、
前記天井下地構造に生じる衝撃力を吸収可能にしたことを特徴とする耐震補強金具の取付方法。
【請求項９】
前記第１の金具の板材を前記野縁受に跨るように配置し、前記板材の下部の切り込みを
前記野縁に嵌合させ、野縁受取付用ボルトを前記板材に螺着してボルト先端を前記野縁受に当接して締め付け、
前記第２の金具の前記止め板材と前記取付板材とを、前記野縁の片側の野縁リップ部を挟み、かつ前記第１の金具の前記板材に跨るように配置し、
前記板材を跨ぐ両側において、前記野縁の片側の野縁リップ部に前記取付板材のレ型
端部を引っ掛け、
前記止め板材と前記取付板材とを前記複数の野縁リップ部取付ボルトにより締め付けることを特徴とする請求項８に記載の耐震補強金具の取付方法。
【請求項１０】
前記第１の金具または前記第２の金具の少なくとも一方に、斜めブレースを２方向Ｖ型の少なくとも片側に取り付けることを特徴とする請求項８又は請求項９に記載の耐震補強金具の取付方法。
【発明の詳細な説明】
【技術分野】
【０００１】
この発明は、例えば大空間などの既存建物の、在来工法による軽量鉄骨造の天井下地構造に耐震性能を付与することができ、また新築建物の天井下地構造の耐震補強としても適用可能な天井下地材の耐震補強金具及び耐震補強金具の取付方法に関するものである。
【背景技術】
【０００２】
天井下地構造では、図１５に示すように、体育館等の天井耐震補強の例として、野縁１００と野縁受１０２の交差部で、野縁１００と野縁受１０２に係合しているだけの固定度の低いクリップ１０１の弱点に着目して、クリップ自体を野縁受１０２に補強ビス１０３で直接ビス止めしたり、図１６に示すように、野縁１００と野縁受１０２の間に補強金物１１１をあてがい、補強金物１１１をビス１１２によって野縁１００に固定し、ビス１１３によって野縁受１０２に固定し、野縁１００と野縁受１０２の交差部を補強する方法がある。
【０００３】
また、図１７に示すように、野縁１００と野縁受１０１の交差部で、耐風型天井補強用に開発された一対の耐風型補強クリップ１２０を用い、この一対の耐風型補強クリップ１２０をボルト１２１で固定して二重のクリップで挟持することで補強する方法もある。
【０００４】
さらに、天井内に耐震用の斜めブレースを設置する装置として、例えば、図１８に示すものが公開されているが、斜めブレース１３１の下端部は、吊りボルト１３２の下部、天井下地材を吊持するハンガー１３０の上部１３３に設置されていることが多い（特許文献１）。
【特許文献１】特開平１０−１２１６４２号公報
【発明の開示】
【発明が解決しようとする課題】
【０００５】
ここで、図１５及び図１６に示すものでは、単にプレート材で補強するだけであるため多数箇所への設置が必要となるが、地震時にどれ程の効果を発揮するかは定かではなく、しかも既存の天井改修工事では、天井面に接近した体勢でのビス止め作業が天井全面で必要となることから、そのために足場設備も広範囲に必要になるなど、仮設費や施工手間が多大となる。
【０００６】
また、図１７に示すものでは、特別仕様の一対の耐風型補強クリップ１２０を使用しているものの野縁１００と野縁受１０１の交差部での補強は十分ではなく、特別仕様であるため従来品との混在使用が出来ず全て特別仕様としなければならないため不経済となる。図１８に示すものでは、ハンガー１３０に集中して大きなせん断力が働き、ハンガー１３０が滑りあるいは変形して損傷する可能性がある。
【０００７】
このような類似工法のそれぞれ、または組み合わせで耐震補強工事が計画されるが、既存天井の改修では天井の全面改修が必要となったり、在来天井下地の耐震安全性を解決するに至ってない。
【０００８】
さらに、在来の天井下地材に水平地震力を抑える斜めブレースを設置する取付方法は色々と提案されているが、地震力が作用した場合に斜めブレースや吊ボルトに圧縮力が作用して座屈してしまうことや、ブレース下端（天井下地側）をハンガー直上や野縁受へ接続する取付方法では、水平分力による吊ボルトの曲げ変形やハンガーの曲がり、野縁受の倒れ変形が発生するために、ブレース設置による下地材への悪影響が天井損傷に繋がることが判ってきている。
【０００９】
この発明は、かかる点に鑑みなされたもので、天井下地の野縁と野縁受の交差部に設置し、地震に対して補強すると共に、衝撃力を吸収して耐震性能を付与することが可能な耐震補強金具及び耐震補強金具の取付方法を提供することを目的としている。
【課題を解決するための手段】
【００１０】
前記課題を解決し、かつ目的を達成するために、この発明は、以下のように構成した。
【００１１】
請求項１に記載の発明は、天井スラブまたは梁を含む建物の構造体から吊持された野縁及び野縁受を備える天井下地構造を前記野縁と前記野縁受の交差部で補強する耐震補強金具であって、  
前記野縁受に取り付けられる第１の金具と、前記野縁に取り付けられる第２の金具と、により構成され、
第１の金具は、前記野縁受に跨るように配置して前記野縁に嵌合させ、地震による前記天井下地構造に生じる衝撃力に対して前記野縁受の軸方向に変位可能に取り付け、
前記第２の金具は、前記野縁の野縁リップ部を挟み、かつ前記第１の金具に跨るように配置して前記野縁の野縁リップ部に地震による前記天井下地構造に生じる衝撃力に対して
前記野縁の軸方向に変位可能に取り付け、
前記天井下地構造に生じる衝撃力を吸収可能に構成したことを特徴とする耐震補強金具である。
【００１２】
請求項２に記載の発明は、前記第１の金具は、前記野縁受の水平幅に嵌合するように板材の中央部を略コの字型に折曲げ、前記野縁受を挟み込んで、前記板材の下端部に形成した切欠きを前記野縁に嵌合して保持し、野縁受取付用ボルトを前記板材に螺着してボルト先端を前記野縁受に当接して締め付け、
前記第２の金具は、前記第１の金具に跨るように形成した略コの字型であり、両側部に折曲げリブを有する止め板材と、前記第１の金具に跨るように形成した略コの字型であり、端部がレ型に折曲げられた取付板材と、それらを貫通する複数の野縁リップ部取付ボルトと、を有し、
前記止め板材と前記取付板材とを、前記野縁の片側の野縁リップ部を挟み、かつ前記第１の金具の前記板材に跨るように配置し、
前記板材を跨ぐ両側において、前記野縁の片側の野縁リップ部に前記取付板材のレ型端部を引っ掛け、前記止め板材と前記取付板材とを前記複数の野縁リップ部取付ボルトにより締め付けることを特徴とする請求項１に記載の耐震補強金具である。
【００１３】
請求項３に記載の発明は、前記第１の金具は、前記板材の下端部には野縁幅の切欠きが、野縁底部まで嵌合するように形成され、
前記切欠きを、前記野縁に嵌合して保持することを特徴とする請求項２に記載の耐震補強金具である。
【００１４】
請求項４に記載の発明は、前記第１の金具は、前記板材の上部中央部を切り起こして一体で立ち上げた立ち起し部を有し、
前記立ち起し部により前記第２の金具と固定したことを特徴とする請求項２又は請求項３に記載の耐震補強金具である。
【００１５】
請求項５に記載の発明は、前記取付板材に雌ねじを形成し、座金を介して前記野縁リップ部取付ボルトにより前記取付板材に螺着することを特徴とする請求項２乃至請求項４のいずれか１項に記載の耐震補強金具である。      
【００１６】
請求項６に記載の発明は、前記第１の金具または前記第２の金具の少なくとも一方に、少なくとも上端片側に側部を切り落とした切り欠き部が形成されていることを特徴とする請求項２乃至請求項５のいずれか１項に記載の耐震補強金具である。
【００１７】
請求項７に記載の発明は、前記第１の金具または前記第２の金具の少なくとも一方に、斜めブレースを２方向Ｖ型の少なくとも片側に取り付けるためのブレース取付用ボルト孔が開口されていることを特徴とする請求項２乃至請求項６のいずれか１項に記載の耐震補強金具である。
【００１８】
請求項８に記載の発明は、天井スラブまたは梁を含む建物の構造体から吊持された野縁及び野縁受を備える天井下地構造を前記野縁と前記野縁受の交差部で補強する耐震補強金具の取付方法であって、
第１の金具を前記野縁受に跨るように配置して前記野縁に嵌合させ、地震による前記天井下地構造に生じる衝撃力に対して前記野縁受の軸方向に変位可能に取り付け、
前記第２の金具を、前記野縁の野縁リップ部を挟み、かつ前記第１の金具の前記板材に跨るように配置して前記野縁の野縁リップ部に地震による前記天井下地構造に生じる衝撃力に対して前記野縁の軸方向に変位可能に取り付け、
前記天井下地構造に生じる衝撃力を吸収可能にしたことを特徴とする耐震補強金具の取付方法である。
【００１９】
請求項９に記載の発明は、前記第１の金具の板材を前記野縁受に跨るように配置し、前記板材の下部の切り込みを前記野縁に嵌合させ、野縁受取付用ボルトを前記板材に螺着してボルト先端を前記野縁受に当接して締め付け、
前記第２の金具の前記止め板材と前記取付板材とを、前記野縁の片側の野縁リップ部を挟み、かつ前記第１の金具の前記板材に跨るように配置し、
前記板材を跨ぐ両側において、前記野縁の片側の野縁リップ部に前記取付板材のレ型
端部を引っ掛け、
前記止め板材と前記取付板材とを前記複数の野縁リップ部取付ボルトにより締め付けることを特徴とする請求項８に記載の耐震補強金具の取付方法である。
【００２０】
請求項１０に記載の発明は、前記第１の金具または前記第２の金具の少なくとも一方に、斜めブレースを２方向Ｖ型の少なくとも片側に取り付けることを特徴とする請求項８又は請求項９に記載の耐震補強金具の取付方法である。
【発明の効果】
【００２１】
前記構成により、この発明は、以下のような効果を有する。
【００２２】
請求項１に記載の発明では、第２の金具と野縁で、第１の金具と野縁受とを閉じた輪として囲い込んで野縁と野縁受の交差部を強固に取付けることができ、また、少ない構成部材で、天井下地の野縁と野縁受の交差部に簡単かつ確実に設置することができる。しかも、第１の金具は、地震による天井下地構造に生じる衝撃力に対して野縁受の軸方向に変位可能であり、第２の金具は、地震による天井下地構造に生じる衝撃力に対して野縁の軸方向に変位可能であり、地震によって天井下地構造に生じる衝撃力に対して天井下地構造が変位して衝撃力を吸収することができ、天井下地構造の耐震性能を向上させることができる。
【００２３】
請求項２に記載の発明では、野縁と野縁受の交差部で、野縁受に取り付けられる第１の金具と、野縁に取り付けられる第２の金具により構成され、第１の金具の板材を略コの字型に折曲げて野縁受を囲い込み野縁に野縁受を野縁受の軸方向に固定し、第２の金具により野縁受と第１の金具とを抱きかかえるように略コの字型に挟み込み、野縁受を跨いだ両側において野縁の片側の野縁リップ部を取付けることで、第２の金具と野縁で、第１の金具と野縁受とを閉じた輪として囲い込んで野縁と野縁受の交差部を強固に取付けることができる。また、少ない構成部材で、天井下地の野縁と野縁受の交差部に簡単かつ確実に設置し、しかも地震によって天井下地構造に生じる衝撃力に対して天井下地構造が変位して衝撃力を吸収することができ、天井下地構造の耐震性能を向上させることができる。
【００２４】
請求項３に記載の発明では、第１の金具は、板材の下端部には野縁幅の切欠きを、野縁の底部まで嵌合して確実に野縁全体を保持することで、野縁が野縁受と直交方向に横すべり移動することを阻止することができる。
【００２５】
請求項４に記載の発明では、第１の金具は、板材の立ち起し部により第２の金具と固定したことで、第１の金具と第２の金具とを一体にすることで施工性が向上する。
【００２６】
請求項５に記載の発明では、固定板材に雌ねじを形成し、座金を介して野縁リップ部取付ボルトにより固定板材に螺着して締め付け固定することで、野縁リップ部固定ボルトの友回りを防止でき、野縁リップ部取付ボルトによる締付力が向上する。
【００２７】
請求項６に記載の発明では、第１の金具または第２の金具の少なくとも一方に、少なくとも上端片側に側部を切り落とした切り欠き部が形成されていることで、第１の金具または第２の金具の軽量化が可能で、材料の削減にもなる。
【００２８】
請求項７に記載の発明では、第１の金具または第２の金具の少なくとも一方に、斜めブレースを２方向Ｖ型の少なくとも片側に取り付けるためのブレース取付用ボルト孔が開口されていることで、より効果的にブレースを機能させることで地震力を確実に野縁と天井面材に伝達し、耐震性能を付与することが可能である。
【００２９】
請求項８に記載の発明では、第２の金具と野縁で、第１の金具と野縁受とを閉じた輪として囲い込んで野縁と野縁受の交差部を強固に取付けることができ、また、少ない構成部材で、天井下地の野縁と野縁受の交差部に簡単かつ確実に設置することができる。しかも、
第１の金具は、地震による天井下地構造に生じる衝撃力に対して野縁受の軸方向に変位可能であり、第２の金具は、地震による天井下地構造に生じる衝撃力に対して野縁の軸方向に変位可能であり、地震によって天井下地構造に生じる衝撃力に対して天井下地構造が変位して衝撃力を吸収することができ、天井下地構造の耐震性能を向上させることができる。
【００３０】
請求項９に記載の発明では、第１の金具の板材を略コの字型に折曲げて野縁受を囲い込み野縁に野縁受を野縁受の軸方向に取付け、第２の金具により野縁受と第１の金具とを抱きかかえるように略コの字型に挟み込み、野縁受を跨いだ両側において野縁の片側の野縁リップ部を締め付けることで、第２の金具と野縁で、第１の金具と野縁受とを閉じた輪として囲い込んで野縁と野縁受の交差部を強固に取付けることができる。また、少ない構成部材で、天井下地の野縁と野縁受の交差部に簡単かつ確実に設置し、しかも地震によって天井下地構造に生じる衝撃力に対して天井下地構造が変位して衝撃力を吸収することができ、天井下地構造の耐震性能を向上させることができる。
【００３１】
請求項１０に記載の発明では、第１の金具または第２の金具の少なくとも一方に、斜めブレースを２方向Ｖ型の少なくとも片側に取り付けることで、より効果的にブレースを機能させることで地震力を確実に野縁と天井面材に伝達し、耐震性能を付与することが可能である。
【発明を実施するための最良の形態】
【００３２】
以下、この発明の耐震補強金具及び耐震補強金具の取付方法の実施の形態について説明する。この発明の実施の形態は、発明の最も好ましい形態を示すものであり、この発明はこれに限定されない。
【００３３】
（耐震補強金具の構成）
この実施の形態の耐震補強金具の構成を、図１乃至図９に基づいて説明する。図１は在来工法による軽量鉄骨造の天井下地構造の概略を説明するための斜視図、図２は耐震補強金具の取付状態を示す斜視図、図３は第１の金具の斜視図、図４は第２の金具の斜視図、図５乃至図９は耐震補強金具の取付状態を示し、図５は平面図、図６は図５をイ方向から見た図、図７は図５をロ方向から見た図、図８は図５をハ方向から見た図、図９は図５をニ方向から見た図である。
【００３４】
この実施の形態の在来工法による軽量鉄骨造の天井下地構造は、図１に示すように、この建物の構造体２０には、天井５０に大型の野縁６を平行に所定幅で複数個配置し、この平行に配置した複数個の野縁６の間にはそれぞれ複数個の小型の野縁７を配置している。この大型の野縁６と小型の野縁７は、同じ高さで、かつ同じ長さになっている。大型の野縁６と小型の野縁７に対して直交する方向に複数個の野縁受８が配置されている。この大型の野縁６と野縁受８とは、クリップ１０で固定され、小型の野縁７と野縁受８とは、クリップ１１で固定されている。
【００３５】
野縁受８には、ハンガー１２が所定間隔で固定され、このハンガー１２に吊ボルト５の下部を連結し、吊ボルト５の上部は天井スラブまたは梁を含む建物の構造体２０に連結する。この建物の構造体２０としては、例えば鉄骨造の構造体である。吊ボルト５により吊持された天井下地構造では、野縁６，７と野縁受８は、既存のものが用いられ、鋼材やアルミ合金材などを採用することができるが、それらに限ることなく、在来工法による軽量鉄骨造の天井下地構造に用いられるものであれば、どのような材質からなるものでもよい。
【００３６】
野縁７と野縁受８の交差部には、耐震補強金具Ａが固定され、耐震補強金具Ａは第１の金具１と第２の金具２により構成され、この第１の金具１と第２の金具２は、例えば鋼板などで成形された板材などからなる。第１の金具１には、一対の斜めブレース３０の下部が接続され、一対の斜めブレース３０の上部は、斜め補強取付金物３１に接続されている。第２の金具２には、一対の斜めブレース４０の下部が接続され、一対の斜めブレース４０の上部は、斜め補強取付金物４１に接続されている。一対の斜め補強取付金物３１は、中央に配置された野縁受８の両側に設けられた吊ボルト５に固定され、一方、一対の斜め補強取付金物４１は、両側に配置された野縁受８に設けられた吊ボルト５に固定されている。
【００３７】
この実施の形態の耐震補強金具Ａは、野縁７と野縁受８の交差部に簡単かつ確実に設置することができ、野縁７と野縁受の交差部を強固に固定するとともに、地震力を、簡便かつ確実に野縁７と天井面材に伝達し、耐震性能を付与することが可能である。さらに、所定の斜めブレース３０，４０を設けることで、より効果的にブレースを機能させることで地震力を確実に野縁７と天井面材に伝達し、耐震性能を付与することが可能である。
【００３８】
斜めブレース３０，４０は、耐震補強金具Ａと隣接する四方で四箇所の吊ボルト５の吊元基端の斜め補強取付金物３１，４１間に斜めに設置し、ブレース材自体は耐震上要求される水平抵抗の分担力が作用した時に座屈しない断面性能を有する既存の型鋼を用いる。吊ボルト５の吊元基端部には、斜め補強取付金物３１，４１として既往のブレース取付金具を使用し、ブレース材をビス止めしてもよい。
【００３９】
次に、耐震補強金具Ａの詳細構成について、図２乃至図９に基づいて詳細に説明する。耐震補強金具Ａは、野縁７及び野縁受８を備える天井下地構造を補強するものであり、この実施の形態では野縁７と野縁受８の交差部に取り付けられているが、野縁６と野縁受８の交差部に取り付けても良い。耐震補強金具Ａは、第１の金具１と第２の金具２により構成され、第１の金具１は、主に野縁受８に取り付けられ、第２の金具２は主に野縁７に取り付けられる。野縁７は、断面がコ字状であり、基部７ａの両側を屈曲し、この両側の屈曲部７ｂ１，７ｂ２から基部７ａに対して略直角方向に延び、その両端を内側に屈曲して開口７ｃ側に一対の野縁リップ部７ｄ１，７ｄ２が形成されている。野縁受８は、断面がコ字状であり、基部８ａの両側を屈曲し、この両側の屈曲部８ｂ１，８ｂ２から基部８ａに対して略直角方向に延び、開口８ｃ側に一対のフランジ部８ｄ１，８ｄ２が形成されている。野縁７は、その基部７ａを下方にして天井側にし、一対の野縁リップ部７ｄ１，７ｂ２を上側にして配置され、この野縁７の一対の野縁リップ部７ｄ１，７ｂ２に、野縁受８は、そのフランジ部８ｄ２を重ねて配置されている。
【００４０】
第１の金具１は、例えば鋼板などからなる板材の両側部に同じ側から切り込み１ｇ１１，１ｇ２１を入れて中央部を、設置された野縁受８の水平幅に嵌合するように略コの字型に折曲げ、折り曲部１ｂ，１ｃを有している。ここで、略コの字型とは、角をほぼ直角に折り曲げるコの字型、角を緩く折り曲げるＵ字型なども含む。この折り曲部１ｃの一端には、ナット１ｄがねじ孔１ｋの位置に対応させ、このナット１ｄに野縁受取付用ボルト１ｅが螺着して取付られている。第１の金具１は、野縁受８を挟み込んで野縁受取付用ボルト１ｅをナット１dを介してねじ孔１kに螺着し、これによりその先端部１ｅ１が野縁受８の基部８ａを押圧して締め付けられる。折り曲部１ｃに、ねじ孔１ｋを形成し、ナット１ｄを介して野縁受取付用ボルト１ｅを螺着し、野縁受８の基部８ａに取付けることで、第１の金具１を野縁受８に確実に取り付けることができ、かつねじ孔１ｋとナット１ｄの締め付けによって施工した野縁受取付用ボルト１ｅの緩み止めを行うことができる。
【００４１】
第１の金具１の板材の下端部には、野縁幅の切欠き１ｆがあり、この野縁幅の切欠き１ｆは、その両側部１ｆ１，１ｆ２が野縁底部まで嵌合するように形成され、切欠き１ｆを野縁７の一対の野縁リップ部７ｄ１，７ｂ２から野縁７の底部まで嵌合して確実に野縁全体を保持し、略コの字型に折り曲げられた第１の金具１の板材により野縁受８を挟持するとともに、野縁７を野縁受８に野縁受８の軸方向に滑って横移動しないようにする。板材の上部中央部には、一部を残した打ち抜き１ｋによって切り起こし、一体で立ち上げた立ち起し部１ｍが形成され、立ち起し部１ｍにはビス貫通孔１ｎが形成されている。ビス１ｐをビス貫通孔１ｎに貫通し、第２の金具２にねじ込んで固定することで、立ち起し部１ｍにより第２の金具２と固定することができるようになっており、第１の金具１と第２の金具２とを一体にすることで施工性が向上する。また、立ち起し部１ｍは、ビスを用いないで、第２の金具２の止め板材２ａと固定板材２ｄの間に挟みこみなどで固定してもよい。
【００４２】
板材の上部の対向する２箇所１ｇ１，１ｇ２には、ブレース取付用ボルト孔１ｈ１，１ｈ２が開口され、ブレース取付用ボルト孔１ｈ１，１ｈ２に、それぞれ斜めブレース３０の下部をあてがいボルト１ｉ１，１ｉ２を貫通させてナット１ｊ１，１ｊ２によって締め付け固定される。板材の上部の対向する２箇所１ｇ１，１ｇ２には、側部を切り落とした切り欠き部１ｇ３１，１ｇ４１が形成されており、この切り欠き部１ｇ３１，１ｇ４１によって第１の金具１の軽量化が可能で、材料の削減にもなり、さらにブレース取付の取付方向の自由度が拡大する。切り欠き部１ｇ３１，１ｇ４１は、曲面状になっているが、直線状などでもよく、切り落としの形状は特に限定されない。
【００４３】
図の例では、板材の上部の対向する２箇所１ｇ１，１ｇ２は、切り込み１ｇ１１によって１箇所１ｇ１が折り曲部１ｂ側に位置し野縁受８の基部８ａ側において立ち上がるように形成され、他の１箇所１ｇ２が切り込み１ｇ２１によって折り曲部１ｃ側に位置し野縁受８のフランジ部８ｄ１の先端側において立ち上がるように形成され、野縁受８のフランジ部８ｄ１の幅分の軸をずらして設けられている。また、板材の上部の対向する２箇所１ｇ１，１ｇ２は、１箇所１ｇ１が折り曲部１ｂ側またはフランジ部８ｄ１の先端側に位置し野縁受８の基部８ａ側またはフランジ部８ｄ側において立ち上がるように形成し、他の１箇所１ｇ２も同様に折り曲部１ｂ側またはフランジ部８ｄ１の先端側に位置し野縁受８の基部８ａ側またはフランジ部８ｄ側において立ち上がるように形成し、野縁受８のフランジ部８ｄの幅分の軸をずらさないようにしても良い。この板材の上部の対向する２箇所１ｇ１，１ｇ２の配置位置は、一対の斜めブレース３０の取付位置などによって、野縁受８のフランジ部８ｄの幅分の軸をずらすか、ずらさないようにするかを選択することができる。
【００４４】
第２の金具２は、第１の金具１に跨るように形成した略コの字型であり、両側部に折曲げリブ２ａ５，２ａ６を有する止め板材２ａと、第１の金具１に跨るように形成した略コの字型であり、端部２ｄ１，２ｄ２がレ型に折曲げられた取付板材２ｄと、１組の座金２ｈ，２ｉと、それらを貫通する１組の野縁リップ部取付ボルト２ｆ，２ｇと、を有する。止め板材２ａと取付板材２ｄとは略同じ形状に形成され、略コの字型とは、角をほぼ直角に切り欠いて第１の金具１に跨るように形成したコの字型、角を緩く切り欠いて第１の金具１に跨るように形成したＵ字型なども含み、止め板材２ａの切り欠部２ａ７より、取付板材２ｄの切り欠部２ｄ７が大きく形成されている。
【００４５】
止め板材２ａは、両側部の折曲げリブ２ａ５，２ａ６によって曲げ強度が向上している。この止め板材２ａは、切り欠部２ａ７によって板材上部に対向する２箇所２ａ１，２ａ２を有し、この２箇所２ａ１，２ａ２にはブレース取付用ボルト孔２ａ３，２ａ４が開口され、またブレース取付用ボルト孔２ａ３，２ａ４より下方位置にボルト貫通孔２ａ８，２ａ９が開口され、切り欠部２ａ７の上部中央位置にはビス孔２ａ１０が開口されている。止め板材２ａには、両上側部を切り落とした切り欠き部２ａ１０，２ａ１１が形成されており、この切り欠き部２ａ１０，２ａ１１によって止め板材２ａの軽量化が可能で、材料の削減にもなる。切り欠き部２ａ１０，２ａ１１は、曲面状になっているが、直線状などでもよく、切り落としの形状は特に限定されない。
【００４６】
取付板材２ｄは、切り欠部２ｄ７によって板材上部に対向する２箇所２ｄ１，２ｄ２を有し、またブレース取付用ボルト孔２ｄ３，２ｄ４が開口され、ブレース取付用ボルト孔２ｄ３，２ｄ４より下方位置に雌ねじ孔２ｄ８，２ｄ９が開口されている。取付板材２ｄのレ型端部には、下側の一部を残して打ち抜き、レ型に折曲げられた引っ掛け部２ｄ１０、２ｄ１１が形成されている。取付板材２ｄには、両上側部を切り落とした切り欠き部２ｄ１２，２ｄ１３が形成されており、この切り欠き部２ｄ１２，２ｄ１３によって取付板材２ｄの軽量化が可能で、材料の削減にもなり、さらにブレース取付の取付方向の自由度が拡大する。切り欠き部２ｄ１２，２ｄ１３は、曲面状になっているが、直線状などでもよく、切り落としの形状は特に限定されない。
【００４７】
１組の座金２ｈ，２ｉは、取付板材２ｄの２箇所２ｄ１，２ｄ２と略同じ幅の四角形状に形成され、２箇所２ｄ１，２ｄ２との接触面積を大きくし、１組の野縁リップ部固定ボルト２ｆ，２ｇによる締付力を大きくしている。この１組の座金２ｈ，２ｉは、円形状でもよい。また、取付板材２ｄに雌ねじ孔２ｄ８，２ｄ９を形成することで、雌ねじ孔２ｄ８，２ｄ９に座金２ｈ，２ｉを通した野縁リップ部取付ボルト２ｆ，２ｇを螺着し、ナット２r,2sにより締付することで、作業時の友回りがなく、作業性を向上させることができる。また、雌ねじ孔２ｄ８，２ｄ９と、座金２ｈ，２ｉとによって１組の野縁リップ部取付ボルト２ｆ，２ｇによる締付力を大きくすることができる。
【００４８】
第２の金具２は、止め板材２ａを切り欠部２ａ７によって第１の金具１の板材の中央部に跨るように配置し、２ヶ所の下端部を野縁７の片側のリップ部７ｄ１の外側に当てがい、同様に取付板材２ｄを切り欠部２ｄ７によって第１の金具１の板材の中央部に跨るように配置し、２ヶ所の下端部を、下方の片側の野縁リップ部７ｄ１の内側に配置し、取付板材２ｄのレ型端部を引っ掛けて挟み込んで配置する。取付板材２ｄの板材の中央部を跨ぐ両側に１組の座金２ｈ，２ｉを当てがい、１組の野縁リップ部取付ボルト２ｆ，２ｇを雌ねじ孔２ｄ８，２ｄ９に螺着し、止め板材２ａの雌ねじ孔２ｄ８，２ｄ９から突出する１組の野縁リップ部取付ボルト２ｆ，２ｇにナット２ｒ，２ｓを螺着して締め付ける。
斜めブレース４０の下部は、止め板材２ａの上部と、取付板材２ｄの上部との間に、それぞれ斜めブレース４０の下部の取付部をブレース取付用ボルト孔２ａ３，２ａ４と、ブレース取付用ボルト孔２ｄ３，２ｄ４に当てがい、これらにボルト２ｋ１，２ｋ２を貫通させてナット２ｍ１，２ｍ２によって締め付け固定される。
【００４９】
この実施の形態の耐震補強金具Ａは、野縁７と野縁受８の交差部で、主に野縁受８に取り付けられる第１の金具１と、主に野縁７に取り付けられる第２の金具２により構成され、少ない構成部材でより効果的に斜めブレース３０，４０を機能させることで地震力を確実に野縁７と天井面材に伝達し、耐震性能を付与することが可能である。
【００５０】
この耐震補強金具Ａの取付方法は、野縁７と野縁受８の交差部において、第１の金具１の板材の中央部を野縁受８に跨るように乗せ、板材の下部の切り込み１ｆを野縁７の一対の野縁リップ部７ｄ１，７ｂ２に嵌合させ、野縁受固定用ボルト１ｅを締め付け、野縁受８に固定する。野縁受固定用ボルト１ｅの位置は、野縁受８の基部８ａを締め付ける位置とすることが強度的に有利である。
【００５１】
次に、第２の金具２の止め板材２ａを野縁受８と直交する方向に野縁受８に取り付けられた第１の金具１の板材を跨ぐように配置し、同様に取付板材２ｄを野縁受８と直交する方向に野縁受８に取り付けられた第１の金具１の板材を跨ぐように配置し、第１の金具１の板材を跨ぐ両側において野縁７の片側の野縁リップ部７ｄ１に取付板材２ｄのレ型端部を引っ掛ける。そして、止め板材２ａと取付板材２ｄを、１組の野縁リップ部取付ボルト２ｆ，２ｇにナット２r，２sを螺着して締め付け、野縁７の片側の野縁リップ部７ｄ１と取付板材２ｄのレ型端部を２箇所離れて締めてつぶすことで取り付ける。
【００５２】
第１の金具１と第２の金具２は、野縁７及び野縁受８に固定後に第１の金具１の中央部と第２の金具２の中央部とをビス１ｐによって固定して一体化している。また、予め第１の金具１と第２の金具２は、ビス１ｐによって一体化し、野縁７及び野縁受８に固定してもよい。このように、第１の金具１と第２の金具２は、野縁７及び野縁受８に固定後に固定して一体化し、または予め第１の金具１と第２の金具２を一体化することで、第１の金具１と第２の金具２の連結補強効果が向上する。
【００５３】
このように、この耐震補強金具Ａでは、まず第１の金具１の板材の中央部を、設置された野縁受８を略コの字型に折曲げて保持し、略コの字型に折り曲げられた第１の金具１の板材により野縁受８を挟持するとともに、野縁７を野縁受８に野縁受８の軸方向に滑って横移動しないようにする。第２の金具２の止め板材２ａと、取付板材２ｄとにより野縁受８と第１の金具１の板材とを抱きかかえるように略コの字型に挟み込み、野縁受８を跨いだ両側において止め板材２ａと取付板材２ｄとで挟み込んで１組の野縁リップ部取付ボルト２ｆ，２ｇにナット２r，２sを螺着して締め付け、野縁７の片側の野縁リップ部７ｄ１と取付板材２ｄのレ型端部を２箇所離れて締めつぶすことで取り付ける。これにより、第２の金具２と野縁７で、第１の金具１と野縁受８とを閉じた輪として強固に囲い込んで取付けることができる。
【００５４】
また、両側から略コの字型の止め板材２ａと、取付板材２ｄとで、野縁７の片側の野縁リップ部７ｄ１を挟み込んで、１組の野縁リップ部取付ボルト２ｆ，２ｇにナット２r，２sを螺着して締め付け、野縁７の片側の野縁リップ部７ｄ１と取付板材２ｄのレ型端部を２箇所離れて締めつぶすことで、止め板材２ａと取付板材２ｄの摩擦力と野縁リップ部７ｄ１を締めつぶす機械的な拘束力を発揮し、斜めブレース３０、４０から生じるせん断力を地震時に確実に受け止めることができる。また、野縁受８の方向のせん断力は、第１の金具１の板材の切欠き１ｆを野縁７の一対の野縁リップ部７ｄ１，７ｂ２に嵌合して保持し、さらに野縁受８を挟み込んで野縁受取付用ボルト１ｅの先端部１ｅ１が野縁受８の基部８ａを押圧して締め付けることで、野縁７に確実に伝達される。
【００５５】
また、第１の金具１には、斜めブレース３０を２方向Ｖ型に取り付け、第２の金具２には、斜めブレース４０を２方向Ｖ型に取り付けているが、第１の金具１または第２の金具２の少なくとも一方に、ブレースを２方向Ｖ型に取り付けることができる。また、第１の金具１または第２の金具２の少なくとも一方に、斜めブレースを２方向Ｖ型の少なくとも片側に取り付けることができ、より効果的にブレースを機能させることで地震力を確実に野縁と天井面材に伝達し、耐震性能を付与することが可能である。
【００５６】
また、耐震補強金具Ａは、野縁７と野縁受８の交差部で、野縁受８に取り付けられる第１の金具１と、野縁７に取り付けられる第２の金具２により構成され、少ない構成部材で、天井下地の野縁７と野縁受８の交差部に簡単かつ確実に設置することができ、野縁７と野縁受の交差部を強固に取り付けるとともに、地震力を、簡便かつ確実に野縁７と天井面材に伝達し、耐震性能を付与することが可能である。さらに、所定の斜めブレース３０，４０を設けることで、より効果的にブレースを機能させることで地震力を確実に野縁７と天井面材に伝達し、耐震性能を付与することが可能である。
【００５７】
このように、耐震補強金具Ａは、斜めブレース３０，４０に生じる水平地震力に抵抗する力を直接野縁７または、野縁７にビス固定された天井面材（ボード等）に伝達することが必要となるが、第１の金具１と、第２の金具２とからなる少ない構成部材で斜めブレース３０，４０に生じる地震力を、既存天井を存置したまま、簡便かつ確実に野縁と天井面材（ボード等）に伝達し、耐震補強を実現することができる。
【００５８】
また、野縁方向の荷重に対しては、斜めブレース４０を取付ける第２の金具２の止め板材２ａを野縁７そのものに沿わせて設置し、そのせん断力は野縁７の片側の野縁リップ部７ｄ１に取付板材２ｄのレ型端部を引っ掛けて重なるようにし、両側からコの字型の止め板材２ａと取付板材２ｄで挟み込んで１組の野縁リップ部取付ボルト２ｆ，２ｇにナット２r，２sを螺着して締め付け、野縁７の野縁リップ部７ｄ１と取付板材２ｄのレ型端部を２箇所離れて締めつぶすことで確実に取付けることで得られる材間摩擦力と、締め付け力による野縁７の野縁リップ部７ｄ１のリップ形状を局部的に変形させることによって得られる機械的な拘束力と、野縁７の野縁リップ部７ｄ１のリップ形状の一部に止め板材２ａと一体となったレ型端部を有する取付板材２ｄを止め板材２ａの両側に挟み込んで得られる金具全体の回転変形を拘束する効果を発揮させることで確保し、野縁７自体にビス孔等の欠損を与えないで実現させることができる。
【００５９】
野縁受８方向の荷重に対しては、野縁受８を第１の金具１の板材により挟み込んで野縁受固定用ボルト１ｅの先端部１ｅ１が野縁受８の基部８ａを押圧して締め付けることで、部材間の摩擦力と回転拘束を得て、合せて第１の金具１を、野縁受８に跨るように乗せ、下部の切欠き１ｆを野縁７の一対の野縁リップ部７ｄ１，７ｂ２に嵌合させて直交する野縁７を嵌め込むことで拘束力を発揮することができる。
【００６０】
この実施の形態では、斜めブレース３０，４０は、その上端を隣接する吊ボルト５の上部スラブ端基部に既応の一対の斜め補強取付金物３１，４１を利用して取付け、新たなアンカーは必要としない。Ｖ型１対を基本組み合わせで平面ＸＹ両軸方向にそれぞれもしくは、組み合わせて設置して吊ボルト５に圧縮力を与えることなく水平力を負担することができる。この斜めブレース３０，４０は、軸圧縮力により座屈を生じない断面性能を有する既製の形鋼を使用することができる。
【００６１】
また、斜めブレース３０，４０は用いないで、野縁６と野縁受８の交差部に耐震補強金具Ａを備え、耐震補強金具Ａを備えることで天井スラブまたは梁を含む建物の構造体５０から吊ボルトにより吊持された野縁６及び野縁受８を備える天井下地構造を補強することもできる。また、耐震補強金具Ａは、野縁６と野縁受８の交差部で取り付けるようにしているが、野縁７と野縁受８の交差部で取り付けるようにしてもよい。
【００６２】
この耐震補強金具Ａの第１の金具１は、野縁受８に跨るように配置して野縁７に嵌合させ、第２の金具２は、野縁８の野縁リップ部を挟み、かつ第１の金具１に跨るように配置して野縁８の野縁リップ部に地震による天井下地構造に生じる衝撃力に対して野縁７の軸方向に変位可能に取り付け、天井下地構造に生じる衝撃力を吸収可能に構成している。このように耐震補強金具Ａは、第２の金具２と野縁７で、第１の金具１と野縁受８とを閉じた輪として囲い込んで野縁７と野縁受８の交差部を強固に取付けることができ、しかも、第１の金具１は、野縁受８に跨るように配置して野縁７に嵌合させ、第２の金具２は、野縁８の野縁リップ部を挟み、これによって地震による天井下地構造に生じる衝撃力に対して、第１の金具１は野縁受８の軸方向に変位し、第２の金具２は、野縁７の軸方向に変位し、図１０に示すように、衝撃力（エネルギー）を吸収することができ、天井下地構造の耐震性能を向上させることができる。すなわち、図１０（a）は第２の金具２を野縁８の野縁リップ部にビスで固定した場合の衝撃力（エネルギー）を吸収し、図１０（ｂ）は第２の金具２を野縁８の野縁リップ部に挟み固定した場合の衝撃力（エネルギー）を吸収したが、図１０（ｂ）の場合は、第２の金具２と野縁８の野縁リップ部とがスベリ変位することで、図１０（a）の場合と比較して大きな衝撃力（エネルギー）を吸収することができる。
【００６３】
この耐震補強金具Ａの天井下地構造に生じる衝撃力（エネルギー）の吸収を、図１１および図１２の実施例の実験例と、図１３及び図１４の比較例の実験例と比較して説明する。図１１および図１２の実施例の実験例は、図１乃至図９に示す耐震補強金具Ａを用いた天井を模擬した試験体にエルセントロ３Ｄ地震波３００％を入力し、天井の慣性力と変位との関係を測定した結果を示し、図１３及び図１４の比較例の実験例は、従来の耐震補強金具を用いた天井を模擬した試験体にエルセントロ３Ｄ地震波３００％を入力し、天井の慣性力と変位との関係を測定した結果を示す。エルセントロ地震波は、１９４０年、米国カリフォルニア州で発生したマグニチュード７．１の大規模な地震の時にエルセントロの観測所で記録された観測波のことであり、３Ｄとは三次元を意味し、平面状の南北方向、東西方向の２方向、高さ方向の振動を行っていることを意味し、３００％とは観測波の加速度（エネルギー）の３倍を意味している。図１１乃至図１４において、Ｘ方向は、野縁の軸方向を示し、Ｙ方向は、野縁受の軸方向を示す。
【００６４】
天井を模擬した試験体の天井構造は、天井面は、下地板に貼り紙や塗装等の細工をして仕上がっており、下地板は、石膏やセメントやロックウール（非結晶ガラス質繊維）でできた板で、実験では一番重い石膏ボードを使用した。下地板の取付は、建物を支える骨組み（躯体）へ、薄型軽量の直線鋼製材（野縁や野縁受）と吊り材を使用して行った。
【００６５】
この下地板の取付順序は、
第１に、まず、石膏ボードに野縁といわれる直線鋼製材をビスで止め、
第２に、その野縁を野縁受で直角方向にクリップ止めし、
第３に、その野縁受は、ハンガーにより吊り材に取付けられ、
第４に、吊り材の上部は躯体に緊結されている。
【００６６】
なお、施工するときは順序が逆である。
この天井を模擬した試験体の天井構造に、実施例の耐震補強金具を取り付け、天井面のゆれを防止するため斜材を設けた。
【００６７】
従来の耐震補強金具は、第１の部品を野縁に対して、両側から挟み込んで取り付け、  これに斜材を付けることにより野縁方向の地震のゆれに直接対抗させた。次に、第１の部品に直交させた第２の部品で、野縁受を包むように配し、天井ボードにビスで直接取付けられている野縁に対して跨ぐように嵌合させて取り付けた。この第２の部品に、斜材を付けることにより野縁受け方向の地震のゆれに直接対抗させた。
【００６８】
図１１および図１２の実施例の実験例と、図１３及び図１４の比較例の実験例とにおいて、波形の傾きが剛性を表しており、実施例の実験例は、比較例の実験例に対して剛性すなわち傾きが１０倍〜２０倍と大幅に改善した。また、実施例の実験例は、天井面に生じた最大耐力も、２０００Ｎから４０００Ｎ，６０００Ｎへ、最大では８０００Ｎと、比較例の実験例に対して３倍以上性能が向上した。この実施例の実験例では、第２の金具２と野縁７で、第１の金具１と野縁受８とを閉じた輪として囲い込んで野縁７と野縁受８の交差部を強固に取り付け、しかも、第１の金具１は、野縁受８に跨るように配置して野縁７に嵌合させ、第２の金具２は、野縁８の野縁リップ部を挟み、図１０で説明したように、滑りＸ方向及びＹ方向に変位することで、大きな衝撃力（エネルギー）を吸収することができる。
【産業上の利用可能性】
【００６９】
この発明は、例えば大空間などの既存建物の、在来工法による軽量鉄骨造の天井下地構造に耐震性能を付与することができ、また新築建物の天井下地構造の耐震補強としても適用可能な天井下地材の耐震補強金具及びその取付方法に適用でき、天井下地の野縁と野縁受の交差部に設置し、地震に対して補強すると共に、衝撃力を吸収して耐震性能を付与することが可能である。
【図面の簡単な説明】
【００７０】
【図１】在来工法による軽量鉄骨造の天井下地構造の概略を説明するための斜視図で    ある。
【図２】耐震補強金具の取付状態を示す斜視図である。
【図３】第１の金具の斜視図である。
【図４】第２の金具の斜視図である。
【図５】耐震補強金具の取付状態を示す平面図である。
【図６】図５をイ方向から見た図である。
【図７】図５をロ方向から見た図である。
【図８】図５をハ方向から見た図である。
【図９】図５をニ方向から見た図である。
【図１０】第２の金具を野縁の野縁リップ部にビスで固定した場合と、挟み固定した場合の衝撃力（エネルギー）吸収を説明する図である。
【図１１】実施例の実験例の天井中心のＸ方向変位と、Ｘ方向慣性力との関係を示す図である。
【図１２】実施例の実験例の天井中心のＹ方向変位と、Ｙ方向慣性力との関係を示す図である。
【図１３】比較例の実験例の天井中心のＸ方向変位と、Ｘ方向慣性力との関係を示す図である。
【図１４】比較例の実験例の天井中心のＹ方向変位と、Ｙ方向慣性力との関係を示す図である。
【図１５】従来の天井耐震補強の例を示す図である。
【図１６】従来の天井耐震補強の例を示す図である。
【図１７】従来の天井耐震補強の例を示す図である。
【図１８】従来の天井耐震補強の例を示す図である。
【符号の説明】
【００７１】
Ａ  補強金具
１  第１の金具
１ｂ，１ｃ  折り曲部
１ｄ  ナット
１ｅ  野縁受固定用ボルト
１ｆ  切欠き
２  第２の金具
２ａ  止め板材
２ｄ  固定板材
２ｆ，２ｇ  野縁リップ部固定ボルト
５  吊ボルト
６，７  野縁
７ａ  基部  ７ｂ１，７ｂ２  屈曲部
７ｃ  開口
７ｄ１，７ｂ２  野縁リップ部
８ａ  基部
８ｂ１，８ｂ２  屈曲部
８ｃ  開口
８ｄ１，８ｄ２  フランジ部
２０  構造体
３０  斜めブレース
３１  斜め補強取付金物
４０  斜めブレース
４１  斜め補強取付金物
【図１】
0004963484.tif 000002
【図２】
0004963484.tif 000003
【図３】
0004963484.tif 000004
【図４】
0004963484.tif 000005
【図５】
0004963484.tif 000006
【図６】
0004963484.tif 000007
【図７】
0004963484.tif 000008
【図８】
0004963484.tif 000009
【図９】
0004963484.tif 000010
【図１０】
0004963484.tif 000011
【図１１】
0004963484.tif 000012
【図１２】
0004963484.tif 000013
【図１３】
0004963484.tif 000014
【図１４】
0004963484.tif 000015
【図１５】
0004963484.tif 000016
【図１６】
0004963484.tif 000017
【図１７】
0004963484.tif 000018
【図１８】
0004963484.tif 000019